(57)【特許請求の範囲】
【請求項１】
左右方向に並んで配置された電動送風機およびコードリールと、前記電動送風機および前記コードリールの前方に形成された集塵室と、を備えた電気掃除機において、
前記電動送風機および前記コードリールの前方に対応する前記集塵室の壁面のうち前記電動送風機の前方に対応する前記集塵室の壁面は、開口を有し、
前記電気掃除機は、
前記開口の前方に配置され、前記集塵室に装着された集塵ケースのフィルタを叩くよう前後方向に揺動可能な揺動部材と、
前記揺動部材を駆動する揺動部材駆動手段と、
前記揺動部材を前方に向かって付勢する揺動部材付勢手段と、を備え、
前記揺動部材駆動手段は、前方から見た場合に、前記電動送風機の外郭の外周または前記電動送風機の外郭と前記集塵室の壁面との連結部の外周よりも、外周側に位置し、
前記揺動部材における前記揺動部材駆動手段との接触部は、前記揺動部材の上部に位置し、
前記揺動部材における前記揺動部材付勢手段との接触部は、前記揺動部材の下部に位置し、
前記揺動部材における前記揺動部材駆動手段との接触部は、前記揺動部材における前記揺動部材付勢手段との接触部と、左右方向において、同じ側に位置する
ことを特徴とする電気掃除機。
【請求項２】
前記集塵ケースのフィルタは波形のフィルタであり、当該フィルタにおいて前記揺動部材により叩かれる箇所は、樹脂製の突起である
ことを特徴とする請求項１に記載の電気掃除機。
【発明の詳細な説明】
【技術分野】
【０００１】
本発明は、電気掃除機に関するもので、特に、吸引力の向上を図った電気掃除機に関する。
【背景技術】
【０００２】
電気掃除機は、電動送風機を駆動して吸引力を発生させ、発生した吸引力により空気とともに塵埃を掃除機本体に吸い込み、吸い込んだ空気から塵埃を集塵ケースで捕集するものである。
電気掃除機の集塵能力を示す指標として、電気掃除機の空気を吸い込む能力を示す「吸込仕事率」（JIS C 9108参照）が知られており、電気掃除機の「吸込仕事率」の向上が求められている。
また、捕集した塵埃が集塵ケースのフィルタに付着して、フィルタが目詰まりをおこし、「吸込仕事率」が低下することが知られている。
【０００３】
特許文献１では、プリーツ状のフィルタの上側部位に集塵面の反対側より除塵振動を付与する第１除塵手段と、プリーツ状のフィルタの下側部位に集塵面の反対側より除塵振動を付与する第２除塵手段とを備える電気掃除機が開示されている。
特許文献１に開示された電気掃除機によれば、集塵ケースのプリーツ状のフィルタを広範囲にわたって除塵することができ、プリーツ状のフィルタの目詰まりによる「吸込仕事率」の低下を抑制させることができる。
【先行技術文献】
【特許文献】
【０００４】
【特許文献１】特開２００８−３０７３１７号公報
【発明の概要】
【発明が解決しようとする課題】
【０００５】
特許文献１に開示された電気掃除機では、集塵室の背面側壁面に、集塵室と電動送風機とを連通するように開口部が形成されている。
しかしながら、集塵ケースを収納する集塵室の背面側壁面の横幅方向の略全幅にわたって第１除塵手段が設けられている。このため、開口部の開口面積を大きくすることができず、「吸込仕事率」を大きくすることができないという課題がある。
【０００６】
そこで、吸込仕事率を向上させ、高い集塵能力を得られる電気掃除機を提供することを課題とする。
【課題を解決するための手段】
【０００８】
このような課題を解決するために、本発明に係る電気掃除機は、左右方向に並んで配置された電動送風機およびコードリールと、前記電動送風機および前記コードリールの前方に形成された集塵室と、を備えた電気掃除機において、前記電動送風機および前記コードリールの前方に対応する前記集塵室の壁面のうち前記電動送風機の前方に対応する前記集塵室の壁面は、開口を有し、前記電気掃除機は、前記開口の前方に配置され、前記集塵室に装着された集塵ケースのフィルタを叩くよう前後方向に揺動可能な揺動部材と、前記揺動部材を駆動する揺動部材駆動手段と、前記揺動部材を前方に向かって付勢する揺動部材付勢手段と、を備え、前記揺動部材駆動手段は、前方から見た場合に、前記電動送風機の外郭の外周または前記電動送風機の外郭と前記集塵室の壁面との連結部の外周よりも、外周側に位置し、前記揺動部材における前記揺動部材駆動手段との接触部は、前記揺動部材の上部に位置し、前記揺動部材における前記揺動部材付勢手段との接触部は、前記揺動部材の下部に位置し、前記揺動部材における前記揺動部材駆動手段との接触部は、前記揺動部材における前記揺動部材付勢手段との接触部と、左右方向において、同じ側に位置することを特徴とする。
【発明の効果】
【０００９】
本発明によれば、吸込仕事率を向上させ、高い集塵能力を得られる電気掃除機を提供することができる。
【図面の簡単な説明】
【００１０】
【図１】本実施形態に係る電気掃除機の外観斜視図である。
【図２】電気掃除機本体の外観斜視図である。
【図３】集塵ケースおよび外装の一部を取り外した電気掃除機本体の外観斜視図である。
【図４】集塵ケースの外観斜視図である。
【図５】集塵ケースの中央断面図である。
【図６】集塵ケースの背面図である。
【図７】区画壁の正面図である。
【図８】除塵ユニットおよび除塵ユニット駆動機構を取り外した区画壁の正面図である。
【図９】除塵ユニットおよび除塵ユニット駆動機構を取り外した区画壁の背面側斜視図である。
【図１０】除塵ユニットの正面図である。
【図１１】図７のＡ−Ａ線断面矢視図である。
【発明を実施するための形態】
【００１１】
以下、本発明を実施するための形態（以下「実施形態」という）について、適宜図面を参照しながら詳細に説明する。なお、本説明において、同一の要素には同一の番号を付し、重複する説明は省略する。
【００１２】
＜電気掃除機１＞
図１は、本実施形態に係る電気掃除機の外観斜視図である。
電気掃除機１は、掃除機本体２と、ホース３と、手元操作スイッチＳＷ等が設けられた操作管４と、継手管としての延長管５と、第１の吸込具６および第２の吸込具７とを備えて構成されている。第１の吸込具６の根元部に第２の吸込具７の先端部が接続され、第２の吸込具７の根元部に延長管５の先端部が接続され、延長管５の根元部に操作管４の先端部が接続され、操作管４の根元部にホース３が接続され、ホース３の根元部が掃除機本体２の前端部に接続される。なお、第２の吸込具７は、延長管５と操作管４との間に接続してもよい。
【００１３】
掃除機本体２の内部には、吸引力を発生させる電動送風機３０（図３参照）や、この電動送風機３０の吸引力で吸引した塵埃を捕集する集塵ケース１０（図２参照）等が内蔵されており、操作管４に設けられた手元操作スイッチＳＷの操作等によって電動送風機３０の運転の強弱等が切り替えられるようになっている。
【００１４】
＜電気掃除機本体２＞
図２は、電気掃除機本体の外観斜視図である。なお、以下の説明において、各部の方向を言うときには、図２に示す方向を基準とする。
掃除機本体２の上面には、開閉自在な蓋体２ａが設けられており、蓋体２ａを開くことにより、集塵ケース１０が収容される集塵ケース室２ｂが露出するようになっている。集塵ケース１０は、この集塵ケース室２ｂに対して着脱自在に設けられており、清掃終了後等に定期的に集塵ケース室２ｂから取り出される。そして、集塵ケース１０の内部に捕集された塵埃がごみ箱等に捨てられる。集塵ケース室２ｂは、掃除機本体２の内部の前側に形成され、電動送風機３０（図３参照）は、掃除機本体２の内部の後側に配置される。
【００１５】
なお、蓋体２ａは、集塵ケース１０の出し入れ時に開かれ、掃除運転中は、閉じられている。集塵ケース室２ｂに対する集塵ケース１０の着脱方向は、略上下方向であり、集塵ケース室２ｂに集塵ケース１０を収容する際には、集塵ケース１０の後記する蓋部材１２が前側に向くようにして集塵ケース室２ｂに挿入する。
【００１６】
集塵ケース室２ｂにおける塵埃吸い込み方向の上流側には、吸込んだ塵埃がホース３（図１参照）を通じて入ってくる本体吸気口２ｃが設けられている。
掃除機本体２の後方上側には、掃除機本体２から機外に空気を排出する排気口２ｅが設けられている。
【００１７】
図３は、集塵ケースおよび外装の一部を取り外した電気掃除機本体の外観斜視図である。
集塵ケース室２ｂの下流側には、集塵ケース室２ｂと電動送風機３０が配置される電動送風機室２ｄとを区画する区画壁１００が形成され、この区画壁１００に、集塵ケース１０の後記するフィルタ部材１５（図４参照）が対向している。
区画壁１００は、集塵ケース室２ｂと電動送風機室２ｄとを連通するように開口部１１０が形成されている。また、区画壁１００には集塵ケース１０のフィルタ部材１５を除塵するための除塵機構（ビータ２２４）を有している。
なお、区画壁１００の開口部１１０、除塵機構、および、除塵ユニット駆動機構２５０については、図７等を用いて後記する。
【００１８】
区画壁１００の後方には、吸引力を発生させる電動送風機３０と、電源コードを巻き取り収納するためのコードリール４０が配置されている。電動送風機３０は、電動送風機３０の吸込口が前側に位置するように配置される。なお、電動送風機３０とコードリール４０とは、掃除機本体２の内部において、左右方向に並んで配置されている。
また、電動送風機３０の上方には、電動送風機３０の回転速度を制御する制御基板５０が配置されている。
【００１９】
ここで、電気掃除機１の動作について説明する。
電気掃除機１は、掃除機本体２に内蔵された電動送風機３０を駆動させることにより、第１の吸込具６または第２の吸込具７から空気とともに塵埃が吸引される。吸引された塵埃を含む空気は、延長管５およびホース３を介して、掃除機本体２の本体吸気口２ｃから掃除機本体２に内蔵された集塵ケース１０に流入する。流入した塵埃を含む空気は、集塵ケース１０において、塵埃が捕集される。塵埃が除去された空気は、区画壁１００の開口部１１０から電動送風機３０に吸引される。電動送風機３０から吐出された空気の一部は、コードリール４０に吹き付けられ、コードリール４０に巻きつけられた電源コードを冷却する。そして、掃除機本体２の排気口２ｅ（図２参照）から排気される。また、その他の吐出された空気は制御基板５０などを冷却し、掃除機本体２の排気口２ｅから排気される。
【００２０】
＜集塵ケース１０＞
次に、集塵ケース１０について図４から図６を用いて説明する。図４は、集塵ケースの外観斜視図である。
集塵ケース１０は、筒状のケース部材１１と、このケース部材１１の前部に回動可能に設けられた蓋部材１２とを備え、ケース部材１１の内部に、空気と塵埃とを分離するメッシュ状のフィルタ２０ａ（図５参照）を有する塵埃収容器２０（図５参照）を備えている。また、ケース部材１１の後部にフィルタ部材１５が設けられている。ケース部材１１の前部開口は、蓋部材１２によって閉塞され、ケース部材１１の後部開口は、フィルタ部材１５によって閉塞されている。
【００２１】
ケース部材１１の上面前端には、蓋開き解除用の操作ボタン１３が設けられている。操作ボタン１３は、略中央部において左右に突設された図示しない支軸部を支点として回動可能に設けられており、後端に設けられた押圧操作部１３ａを指で押すことにより、前端側に設けられたフック部１３ｂが蓋部材１２の前面上端に設けられた係止部１２ｅ（図５参照）から外れて、蓋部材１２が開くようになっている。
このような操作ボタン１３の前端上面には、凸状の係合リブ１３ｃが設けられている。この係合リブ１３ｃは、蓋部材１２に回動自在に設けられたシャッター体１４の枠部１４ａに係合可能である。
また、操作ボタン１３の後方には、集塵ケース１０を把持するためのハンドル１６が設けられている。
【００２２】
蓋部材１２は、ケース部材１１の前端下部に設けられたヒンジ部１１ａ周りに回動可能に設けられており、ケース部材１１の操作ボタン１３を操作することによって、前方へ倒れるようにして回動し、ケース部材１１の前部開口を開くようになっている。そして、蓋部材１２が開かれた状態で、ケース部材１１の前部開口を通じて、ケース部材１１内の塵埃収容器２０が前方に突出するようになっている。なお、前部開口部から塵埃収容器２０が突出した状態で、塵埃収容器２０の後部側は、集塵ケース１０内に位置している。ただし、前部開口から塵埃収容器２０が突出した状態で、塵埃収容器２０の後部側も、集塵ケース１０外に位置していてもよい。つまり、塵埃収容器２０の略全体が集塵ケース１０外に位置していてもよい。また、蓋部材１２は、ケース部材１１の前端下部に設けられたヒンジ部１１ａ周りに回動可能に設けられる代わりに、ケース部材１１の前端上部に設けられた図示しないヒンジ部周りに回動可能に設けられてもよい。塵埃収容器２０がなければ、回動可能な蓋部材１２は必須の構成ではない。つまり、集塵ケース１０の前部は、流入口１２ａを除き、閉塞されていてもよい。
【００２３】
シャッター体１４は、蓋部材１２の流入口１２ａの上方に配置され、掃除機本体２（図２参照）に集塵ケース１０が収容された状態では、突部１４ｂが押圧されることにより、後方へ移動して枠部１４ａが操作ボタン１３の前端上方に位置するように構成されている。これによって、集塵ケース１０を掃除機本体２から取り出す際にハンドル１６を把持する手で誤って押圧操作部１３ａが押圧操作されても、操作ボタン１３の揺動が規制され、前記したフック部１３ｂと係止部１２ｅとの係合が維持される。したがって、集塵ケース１０を掃除機本体２から取り出す際に不意に蓋部材１２が開くことが防止されている。ただし、シャッター体１４は、必須の構成ではない。
【００２４】
図５は、集塵ケースの中央断面図である。
蓋部材１２の中央部に開口形成された流入口１２ａは、ホース３（図１参照）に連通しており、この流入口１２ａを通じて、塵埃を含む空気が集塵ケース１０内に流れ込むようになっている。
なお、流入口１２ａには、その後端開口を閉塞する逆止弁１２ｂが設けられている。逆止弁１２ｂは、合成ゴムなどの弾性材料からなるのが好ましい。逆止弁１２ｂは、塵埃収容器２０に堆積した塵埃が、流入口１２ａからこぼれ落ちないように流入口１２ａの開口を閉塞する。そして、流入口１２ａから空気が流入していない状態では、逆止弁１２ｂが流入口１２ａの開口を閉じた状態にあり、流入口１２ａから空気が流入する状態では、風圧によって逆止弁１２ｂが弾性力に逆らって下流側、つまり集塵ケース１０の内部側へ弾性変形する。これによって、流入口１２ａから空気が流入する状態では、流入口１２ａが開かれる。
【００２５】
塵埃収容器２０は、ケース部材１１内に配置され、大きめの粗塵を捕集するメッシュ状のフィルタ２０ａを有している。塵埃収容器２０の形状は、枠体（支骨）によって形成され、フィルタ２０ａは、金属やナイロンなどで構成され、塵埃収容器２０の開口以外の面に被覆または貼着されているのが好ましい。
塵埃収容器２０は、前側が開口し奥側が閉じられる容器状を呈しており（空気の流れ方向の上流側が開口し、下流側が閉じられた形状を呈しており）、蓋部材１２の流入口１２ａ側に開口が向けられて、流入口１２ａから流入してくる塵埃を捕集するようになっている。塵埃収容器２０は、流入口１２ａが形成された側とは反対側へ凹んだ立体的形状を有し、上下に分割された上容器２０Ａと下容器２０Ｂとが後部の蝶番２０Ｃを介して連結されてなる。  塵埃収容器２０の形状は、一つの面が開口したかご形状，立体的形状，箱形状または容器形状であってもよいし、ちりとり形状であってもよい。塵埃収容器２０の断面形状は、略四角形状であってもよいし、略円形状であってもよいし、略三角形状であってもよい。塵埃収容器２０の断面形状は、開口から底面へ向かって、小さくなるのが好ましい。
【００２６】
そして、塵埃収容器２０は、ケース部材１１の底面に装着される基部２６を有しており、この基部２６と下容器２０Ｂとの間に装着された図示しないばね部材を介して基部２６に回動可能に支持されている。このばね部材は、塵埃収容器２０をケース部材１１の前部開口に向けて押し出す方向に付勢する。ただし、ばね部材は必須の構成ではない。ばね部材がない場合は、重力によって塵埃収容器２０がケース部材１１から突出することとなる。
そして、塵埃収容器２０は、基部２６と一体的にケース部材１１から取り外すことができる。したがって、簡単に清掃することができる。また、塵埃収容器２０を水洗いしたい場合も、ケース部材１１から取り外した状態で簡単に水洗いが可能で、乾燥する時間も比較的短時間で済む。
【００２７】
上容器２０Ａの後端上部には、塵埃収容器２０の回動を規制する規制ストッパ２３が設けられている。この規制ストッパ２３は、ケース部材１１の上部内壁に設けられた規制部１１ｃに当接するようになっている。つまり、塵埃収容器２０がケース部材１１の開口部に向けて押し出されるときの、規制ストッパ２３の回動軌跡に規制部１１ｃが位置している。
これによって、塵埃収容器２０がばね部材の付勢力によって突き出される方向に回動すると、規制ストッパ２３が規制部１１ｃに当接して回動が規制され、最終的には、上容器２０Ａと下容器２０Ｂとが蝶番２０Ｃを支点として上下方向に開く状態となって回動が規制される。つまり、塵埃収容器２０は、塵埃を捕集するときの空気の流れの方向とは逆の方向に回動されて（突き出されて）開かれるようになっており、これによって、塵埃収容器２０内に捕集された塵埃をごみ箱等に容易に捨てることができるようになっている。
【００２８】
ここで、塵埃収容器２０で捕集された綿ごみなどの軽くてフワフワした繊維塵は、塵埃収容器２０を通過する空気流により、圧縮された固まりとなり易い。また塵埃収容器２０内で圧縮されて固まりとなった繊維塵により、塵埃収容器２０に流入した微細な塵埃の一部も捕集される。これらの圧縮された塵埃の固まりは、電気掃除機１の運転を停止すると空気流による圧縮力がなくなり、圧縮された塵埃の固まりが広がり、塵埃の固まりの体積が大きくなる。
しかし、塵埃収容器２０はその開口に向って広がっており、しかも溜まった塵埃を捨てる際に上容器２０Ａと下容器２０Ｂが開口を拡げるように開放するので、塵埃収容器２０に収容した圧縮された塵埃の固まりが広がった場合でも容易に排出することができる。
この際、塵埃収容器２０に吸引された塵埃は空気流により、圧縮された固まりとなり易く、塵埃収容器２０から開口を通じて排出する際も固まり状となって排出されるので、塵埃収容器２０に設けたメッシュ状のフィルタ２０ａには、塵埃の付着や絡み付きが少なく、目詰まりが生じにくい。このため、塵埃収容器２０に溜まった塵埃を捨てるだけで、フィルタ２０ａの除塵の手間を防ぐことができる。
【００２９】
図６は、集塵ケースの背面図である。
フィルタ部材１５は、ケース部材１１の後部に設けられており、例えば、波形のプリーツ加工されたフィルタ１５ｂを備えている。
フィルタ１５ｂは、例えば、定格風量で粒径が０．３μｍの粒子に対して９９．９７％以上の粒子捕集率をもち、かつ初期圧力損失が２４５Ｐａ以下の性能をもつエアフィルタ（ＨＥＰＡフィルタ(High Efficiency Particulate Air Filter)）である。なお、ＨＥＰＡフィルタの濾紙は、主に直径１〜１０μｍ以下のガラス繊維でできており、繊維の充填率は１０％程度であり、空隙は数１０μｍの大きさをもつ。フィルタ１５ｂは、平面状のものが波状に折られた状態で、フィルタ部材１５の枠体と一体に形成（例えば、インサート成形）される。集塵ケース１０の後部にフィルタ部材１５が装着された状態において、フィルタ１５ｂのうち集塵ケース１０の内側を向いている面が上流面（前面）であり、フィルタ１５ｂのうち集塵ケース１０の外側を向いている面が下流面（後面）である。波形のフィルタ１５ｂは、元は平面状であることから、波形のフィルタ１５ｂの上流面の山部は、下流面の谷部に相当し、波形のフィルタ１５ｂの上流面の谷部は、下流面の山部に相当する。フィルタ１５ｂは、左右方向に波形に折られている。つまり、フィルタ１５ｂは、左右方向で、山、谷を交互に繰り返している。
【００３０】
フィルタ１５ｂがガラス繊維で構成され、フィルタ１５ｂの平面状態である厚さが薄いと、波形状態のフィルタ１５ｂの山、谷のピッチが乱れ易い。そこで、波形のフィルタ１５ｂの上端面および下端面には、フィルタ部材１５の枠体を構成する樹脂と同一の樹脂によって固定されるのが好ましい。例えば、波形のフィルタ１５ｂの上端面および下端面のうちフィルタ１５ｂの下流面の谷部を樹脂によって閉塞するのが好ましい、これによって、波形状態のフィルタ１５ｂの山、谷のピッチを維持しやすくなる。
【００３１】
また、フィルタ１５ｂは、上流面側（即ち、塵埃が付着する側、集塵ケース１０の内側）にＰＴＦＥ(Polytetrafluoroethylene：ポリテトラフルオロエチレン)加工がされている。これにより、通気性と集塵性を確保しつつ、フィルタ１５ｂとフィルタ１５ｂに堆積する塵埃との摩擦係数を下げて、後述する除塵機構を動作させ叩き除塵をする際、フィルタ１５ｂから塵埃が剥がれ落ちやすくすることができ、除塵性能を向上させることができる。
【００３２】
さらに、フィルタ１５ｂの下流面側（即ち、区画壁１００と対向する面側）の下端部には、被除塵部１５ｃが形成されている。被除塵部１５ｃは、フィルタ１５ｂの頂部に形成された樹脂製の突起である。被除塵部１５ｃを設けることにより、除塵の際、ビータ２２４（図３参照）が被除塵部１５ｃを叩くので、フィルタ１５ｂをいためることを防止することができる。また、被除塵部１５ｃを形成することにより、フィルタ１５ｂの頂部の硬さが増し、除塵の際、ビータ２２４による叩き振動が増加し除塵振動が向上し、除塵が良く行われる。
【００３３】
フィルタ部材１５は、図５に示すように、ケース部材１１の下部に設けられたヒンジ１５ａによりケース部材１１に対して回動可能であり、開閉自在に設けられている。通常、フィルタ部材１５は、ケース部材１１の上部に設けられた係止部１７のフックによって閉状態に係止されている。
このようなフィルタ部材１５は、前記したフィルタ２０ａの下流側に位置して、塵埃収容器２０を通過した細かな微細塵を濾過捕集するようになっている。したがって、塵埃収容器２０のフィルタ２０ａの目開きは、フィルタ部材１５のフィルタ１５ｂの目開きよりも粗く（大きく）なっている。
【００３４】
＜区画壁１００＞
次に、区画壁１００について図７から図１１を用いて説明する。図７は、区画壁の正面図である。
区画壁１００には、開口部１１０と、除塵ユニット２００と、除塵ユニット駆動機構２５０とが設けられている。
開口部１１０は、集塵ケース室２ｂ（図３参照）と電動送風機室２ｄ（図３参照）とを連通するように設けられた開口である。除塵ユニット２００は、フィルタ１５ｂ（図６参照）を除塵するための除塵機構である。除塵ユニット駆動機構２５０は、除塵ユニット２００を駆動させるための駆動機構であり、カム突起２５１ａを有する回転棒体２５１と、除塵歯車２５２と、中間歯車２５３とを備えている。回転棒体２５１の回転軸方向は、掃除機本体２の左右方向である。
【００３５】
（開口部１１０）
図８は、除塵ユニットおよび除塵ユニット駆動機構を取り外した区画壁の正面図である。
区画壁１００には、回転棒体２５１（図７参照）を配置するための回転棒体配置部１２０が形成されている。回転棒体配置部１２０は、電動送風機３０側に半円状に凹んで形成される。回転棒体配置部１２０の左右方向一端は、回転棒体２５１の回転軸の一端を受ける軸受けが形成され、回転棒体配置部１２０の左右方向他端は、回転棒体２５１の回転軸の他端が貫通する穴が形成される。
図９は、除塵ユニットおよび除塵ユニット駆動機構を取り外した区画壁の背面側斜視図である。
区画壁１００の背面側には、開口部１１０を囲う二重リング部１１１が形成されている。二重リング部１１１は、電動送風機３０の外郭の外周と略同径に形成されており、図示しない気密ゴム（防振ゴム）を介して電動送風機３０と接続される。
ここで、図８および図９に示すように、回転棒体配置部１２０は、前方から見た場合（図８参照）、二重リング部１１１の外周よりも外側に形成されている。即ち、回転棒体２５１（図７参照）は、前方から見た場合、二重リング部１１１の外周よりも外側に配置されている。なお、電動送風機３０の外郭の外周の外側に回転棒体２５１を配置するようにしてもよい。
このように、除塵ユニット駆動機構２５０（回転棒体２５１）を、前方から見た場合（開口部１１０を流れる風の流れ方向に見た場合）、電動送風機３０の外郭の外周または二重リング部１１１の外周よりも外側に配置することにより、開口部１１０の開口面積を大きくすることができる。つまり、図７、図８に示すように、開口部１１０の上端は、回転棒体配置部１２０の上端にまで、つまり除塵ユニット駆動機構２５０の上側にまで至っている。換言すると、回転棒体配置部１２０の横、つまり除塵ユニット駆動機構２５０の横にも、開口部１１０が存在する。
【００３６】
このように、本実施形態に係る電気掃除機１の区画壁１００に形成された開口部１１０は、特許文献１（特開２００８−３０７３１７号公報）に記載された区画壁（特許文献１の図７参照）に形成された開口部と比較して、開口面積を大きくすることができる。開口面積が大きくなることにより、電気掃除機１の吸込仕事率を向上させることができる。
【００３７】
（除塵ユニット駆動機構２５０）
次に、図３および図７を用いて除塵ユニット駆動機構２５０について説明する。
図３に示すように、コードリール４０は、区画壁１００の回転棒体２５１が配置された位置の背面側に設置され、前方から見た場合、除塵ユニット駆動機構２５０の回転棒体２５１と、コードリール４０とが左右方向において重なって位置するように配置される。
また、コードリール４０には、外周ギヤ４０ａが形成され、中間歯車２５３と噛み合うように配置される。中間歯車２５３は、除塵歯車２５２と噛み合うように配置される。除塵歯車２５２は、回転棒体２５１の端部に連結するように取り付けられている。
【００３８】
使用者がコードリール４０から電源コードを引き出すことにより、コードリール４０が回転する。コードリール４０の回転力は、外周ギヤ４０ａ、中間歯車２５３、除塵歯車２５２を介して回転棒体２５１に回転力が伝達する。回転棒体２５１のカム突起２５１ａが後述する作動レバー２２２（図１０参照）と摺接することにより、除塵ユニット２００が動作する。除塵ユニット駆動機構２５０の構成は、前記に限定されない。例えば、回転棒体２５１は、回転するものではなく、前後方向に揺動するものでもよい。コードリール４０の外周ギヤ４０ａは、歯状ではなく、波状でもよい。コードリール４０の動力を除塵ユニット２００に伝達できるものであれば、中間歯車２５３や除塵歯車２５２はなくてもよい。また、除塵ユニット駆動機構２５０を区画壁１００の上部に配置する代わりに、区画壁１００の下部に配置してもよい。
なお、除塵ユニット２００の動作については、図１１を用いて後述する。
【００３９】
なお、回転棒体２５１の内部には、コード引き出し方向にコードリール４０が回転したときは回転棒体２５１が回転し、コード巻き取り方向にコードリール４０が回転したときは回転棒体２５１の回転を停止させる図示しないクラッチ機構を有している。
クラッチ機構を有することにより、コード巻き取り時には、除塵ユニット２００を駆動させないため、コードリール４０にコードを巻き取る際の負荷が増加することを防止することができる。
【００４０】
（除塵ユニット２００）
次に、除塵ユニット２００について説明する。図１０は、除塵ユニットの正面図である。
除塵ユニット２００は、支持枠２１０と、支持枠２１０に沿いかつ揺動自在に支持される揺動枠２２０とを備えている。支持枠２１０および揺動枠２２０は、区画壁１００に設置された際（図７参照）開口部１１０の通風を阻害しないように、粗めの格子で形成される。
支持枠２１０は、上側に上係止片２１２、下側に下係止片２１３を備えている、この係止片により、除塵ユニット２００は区画壁１００に着脱自在に取り付けられる。
【００４１】
揺動枠２２０は、支軸部２２１と、作動レバー２２２と、付勢部２２３と、ビータ２２４と、係止部２２５とを備えている。
支軸部２２１は、揺動枠２２０の左右に形成され、支持枠２１０の軸受２１１に挿入される。このような構成により、揺動枠２２０は支持枠２１０に対し、支軸部２２１を軸として揺動自在に取り付けられている。
作動レバー２２２は、カム突起２５１ａ（図７参照）と摺接することにより、揺動枠２２０を揺動させる部材である。
付勢部２２３は、揺動枠２２０の下端部に形成され、付勢バネ２３０（図１１参照）によりビータ２２４を前方向（フィルタ部材１５の被除塵部１５ｃ（図６参照）を打撃する方向）に付勢する。
ビータ２２４は、揺動枠２２０の下側に形成され、揺動枠２２０が揺動することにより、フィルタ部材１５の被除塵部１５ｃ（図６参照）を打撃する位置に配置されている。
係止部２２５は、支持枠２１０の係止受２１５に挿入される。係止受２１５の前後方向の開口は、係止部２２５の前後方向の肉厚より大きく開口しており、揺動枠２２０の揺動範囲を制限している。
なお、除塵ユニット２００は、開口部１１０の前方だけでなく、コードリール４０の前方に至るまで、左右方向に延びて形成されてもよい。
【００４２】
（除塵ユニット２００の動作）
除塵ユニット２００の動作について図１１を用いて説明する。
図１１は、図７のＡ−Ａ線断面矢視図である。
なお、回転棒体２５１は、コードリール４０（図３参照）から電源コードを引き出すことにより、Ａ−Ａ線断面矢視図方向にみて、反時計回りに回転する。
【００４３】
図１１（ａ）に示すように、回転棒体２５１に形成されたカム突起２５１ａは、回転棒体２５１が反時計回りに回転することにより、作動レバー２２２と当接する。
さらに、回転棒体２５１が反時計回りに回転すると、図１１（ｂ）に示すように、カム突起２５１ａは作動レバー２２２と摺接しながら、作動レバー２２２を前方向に押し上げ、揺動枠２２０は、支軸部２２１（図１０参照）を中心に回転し、付勢バネ２３０を押し下げる。
そして、さらに回転棒体２５１が回転すると、図１１（ｃ）に示すように、カム突起２５１ａと作動レバー２２２との当接が解除され、付勢バネ２３０が復帰し、ビータ２２４が前方向（フィルタ１５ｂの被除塵部１５ｃを打撃する方向）に付勢される。
【００４４】
これにより、フィルタ１５ｂが叩き除塵され、フィルタ１５ｂに蓄積した塵埃が除塵される。
なお、図７および図１０に示すように、付勢部２２３（付勢バネ２３０）が区画壁１００の略中央側に設けられている、即ち、区画壁１００と対向するフィルタ１５ｂの略中央側に設けられているため、ビータ２３４による打撃がフィルタ１５ｂの略中央側によく伝達し、効率よく除塵することができる。
【００４５】
また、付勢部２２３（付勢バネ２３０）と作動レバー２２２とを揺動枠２２０の左右方向に見て同じ側に形成されているため、付勢バネ２３０を押し込み時（図１１（ｂ）参照）、揺動枠２２０のたわみ（変形）を小さくすることができ、特許文献１に開示された除塵機構と比較して、付勢バネ２３０を押し込む量が増加する。これにより、作動レバー２２２とカム突起２５１ａとの当接が解除された際、ビータ２３４を付勢する付勢バネ２３０の力が増加し、ビータ２３４がフィルタ１５ｂを叩く力が増加する。これにより、フィルタ１５の除塵能力が増加する。
なお、本発明は、コードリール４０の動力によって除塵するもの以外に、モータや電磁コイルによって自動で除塵するものにも適用可能である。
【符号の説明】
【００４６】
１        電気掃除機
２        掃除機本体
２ｂ      集塵ケース（集塵室）
１０      電動送風機室
１０      集塵ケース
１５      フィルタ部材
１５ｂ    フィルタ
３０      電動送風機
４０      コードリール
１００    区画壁（壁面）
１１０    開口部（開口）
１１１    二重リング部（連結部）
１２０    回転棒体配置部
２００    除塵ユニット
２２０    揺動枠（揺動部材）
２２１    支軸部
２２２    作動レバー（揺動部材駆動手段との接触部）
２２３    付勢部（揺動部材付勢手段との接触部）
２２４    ビータ（揺動部材）
２３０    付勢バネ（揺動部材付勢手段）
２５０    除塵ユニット駆動機構（ビータ駆動手段、揺動部材駆動手段）
２５１    回転棒体（ビータ駆動手段、揺動部材駆動手段）
２５１ａ  カム突起（ビータ駆動手段、揺動部材駆動手段）
２５２    除塵歯車（ビータ駆動手段、揺動部材駆動手段）
２５３    中間歯車（ビータ駆動手段、揺動部材駆動手段）
【図１】
0005530287.tif 000002
【図２】
0005530287.tif 000003
【図３】
0005530287.tif 000004
【図４】
0005530287.tif 000005
【図５】
0005530287.tif 000006
【図６】
0005530287.tif 000007
【図７】
0005530287.tif 000008
【図８】
0005530287.tif 000009
【図９】
0005530287.tif 000010
【図１０】
0005530287.tif 000011
【図１１】
0005530287.tif 000012